(57)【要約】【課題】  家庭菜園規模の耕耘作業に適した機体であっても、条件の悪い耕土を確実に耕耘することができる新規な小型圃園管理機を案出することを技術課題とした。【解決手段】  本発明の小型圃園管理機Ｔは、駆動原動機１と、ミッション機構２とを具えてなる駆動ユニットＤと、この駆動ユニットＤにより回転駆動される耕耘ロータ３とを含んで本体ユニットＢが構成されると共に、この本体ユニットＢに対しては、操作ハンドル５が後方に伸びるように設けられている小型圃園管理機Ｔであって、前記操作ハンドル５は、駆動ユニットＤの前方寄りに位置するハンドルピボット５１において本体ユニットＢに対し回動自在に設けられ、且つ操作ハンドル５は、前記ハンドルピボット５１部と後方の操作端５２との間の位置において、本体ユニットＢとの間に弾発ユニット６を具えていることを特徴として成るものである。【選択図】図１
2017221128.tif 000002
【特許請求の範囲】
【請求項１】
駆動原動機と、ミッション機構とを具えて成る駆動ユニットと、この駆動ユニットにより回転駆動される耕耘ロータとを含んで本体ユニットが構成されると共に、
この本体ユニットに対しては、操作ハンドルが後方に伸びるように設けられている小型圃園管理機であって、
前記操作ハンドルは、駆動ユニットの前方寄りに位置するハンドルピボットにおいて本体ユニットに対し回動自在に設けられ、且つ操作ハンドルは、前記ハンドルピボット部と後方の操作端との間の位置において、本体ユニットとの間に弾発ユニットを具えていることを特徴とする小型圃園管理機。
【請求項２】
前記弾発ユニットの前後方向における配設位置は耕耘ロータの作用位置上であることを特徴とする前記請求項１記載の小型圃園管理機。
【請求項３】
前記駆動ユニットの前後方向における重心位置は、耕耘ロータの中心位置よりも前方であることを特徴とする前記請求項１または２記載の小型圃園管理機。
【発明の詳細な説明】
【技術分野】
【０００１】
本発明は、ティラー型乃至はフロントタイン型と称される比較的簡易な小型圃園管理機に関するものであって、特に耕土が固く締った条件の悪い圃園であっても充分耕耘できるようにするための改良に係るものである。
【背景技術】
【０００２】
いわゆる家庭菜園等での趣味的園芸が拡がりを見せている背景から、手軽に用いることができる動力式の小型圃園管理機が注目されている。このような小型圃園管理機としては例えばティラー型等と称されるエンジン駆動の耕耘ロータを具えた手押し操作のものが市場に提供されている。このものは簡易さを求められる結果、耕土上を移動するための車輪を具えず、機体が移動する際にも耕耘ロータが車輪状の作用をするものであり、当然ながら全体の機体重量も比較的軽い。
このため耕土が予め耕耘されているなど条件が良い場合には、耕土の再掘り返し等も円滑にできるものの、耕土が固く締っていたり、玉石等が混じっているような状態では、耕耘等は円滑にできない。
即ちこのような小型圃園管理機では耕土が固い場合には、耕耘ロータが耕土の中に入らず、反対に機体が跳ね上げられてしまい一向に耕耘作用を行えない状態となってしまっている。もちろんいわゆる本格的な耕耘機であればこのような耕耘不能な状態は、生じないが、いわゆる家庭菜園規模の趣味の域では、このような本格的な耕耘機の導入は考慮し得ない。
【先行技術文献】
【特許文献】
【０００３】
【特許文献１】特許第３９１７７９１号公報
【発明の概要】
【発明が解決しようとする課題】
【０００４】
本発明は、このような背景を考慮してなされたものであって、家庭菜園規模の耕耘作業に適した機体であっても、条件の悪い耕土を確実に耕耘することができる新規な小型圃園管理機を案出することを技術課題とした。
【課題を解決するための手段】
【０００５】
請求項１記載の小型圃園管理機は、駆動原動機と、ミッション機構とを具えてなる駆動ユニットと、この駆動ユニットにより回転駆動される耕耘ロータとを含んで本体ユニットが構成されると共に、この本体ユニットに対しては、操作ハンドルが後方に伸びるように設けられている小型圃園管理機であって、前記操作ハンドルは、駆動ユニットの前方寄りに位置するハンドルピボットにおいて本体ユニットに対し回動自在に設けられ、且つ操作ハンドルは、前記ハンドルピボット部と後方の操作端との間の位置において、本体ユニットとの間に弾発ユニットを具えていることを特徴として成るものである。
【０００６】
請求項２記載の小型圃園管理機は、前記請求項１記載の要件に加え、前記弾発ユニットの前後方向における配設位置については、耕耘ロータの作用位置上であることを特徴として成るものである。
【０００７】
請求項３記載の小型圃園管理機は、前記請求項１または２記載の要件に加え、前記駆動ユニットの前後方向における重心位置については、耕耘ロータの中心位置よりも前方であることを特徴として成るものである。
【発明の効果】
【０００８】
まず請求項１記載の発明によれば、操作ハンドルが本体ユニットに対して、その前方で回動自在に接続され、且つ操作ハンドル途中に本体ユニットとの間に弾発ユニットを具えているから、条件の悪い耕土を耕耘する場合、機体全体が跳ね上げられるようになって、この動きが弾発ユニットを一瞬縮めるものの、その直後に伸び方向への瞬間的な復元力となる。この復元力は作業者が操作ハンドルを介して機体を下方に押し付けている力と合成され、耕土に対し耕耘ロータが瞬間的に強く作用する働きを促し、結果的に固く締った耕土でも充分耕耘することができるものである。
【０００９】
また請求項２記載の発明によれば、前記効果を奏する重要要素である弾発ユニットは、耕耘ロータの作用位置の上方に設けられ、弾発ユニットの弾発作用が効果的に耕耘ロータを耕土に押し付ける力となり、固く締った悪条件の耕土でも円滑に耕耘できる。
【００１０】
また請求項３記載の発明によれば、前記駆動ユニットの前方方向における重心位置は、耕耘ロータの中心より前方であり、駆動ユニットの重量が効果的に耕耘ロータを耕土に押し付ける力となり、固く締まった悪条件の耕土でも円滑に耕耘できる。
【図面の簡単な説明】
【００１１】
【図１】本発明に係る小型圃園管理機を示す斜視図である。
【図２】同上側面図である。
【図３】本発明に係る小型圃園管理機の他の実施例を示す側面図である。
【図４】本発明における弾発ユニットの他の実施例を示す説明図である。
【図５】同上更に他の実施例を示す側面図である。
【図６】同上更に他の実施例を示す縦断側面図である。
【図７】同上弾発ユニットにおいて弾発力の調整を自在とした形態を示す側面図である。
【発明を実施するための形態】
【００１２】
本発明を実施するための形態は、以下述べる実施例をその一つとするものであると共に、この技術思想に基づく種々の改良した実施例も含むものである。
【実施例１】
【００１３】
以下、本発明を図示の実施例に基づいて具体的に説明する。
まず本発明の小型圃園管理機Ｔについて述べると、このものは、主として耕土を耕耘する耕耘機として用いられるが、圃園での栽培収穫作業等にも用いられることから、その名称を小型圃園管理機Ｔとしたものである。具体的には、根菜類の掘り起こし収穫作業、栽培管理のための施肥混合作業等が挙げられる。
この小型圃園管理機Ｔは、駆動原動機１と、ミッション機構２とを具えて成る駆動ユニットＤと、この駆動ユニットＤにより回転駆動される耕耘ロータ３とを含んで本体ユニットＢが構成され、この本体ユニットＢに対しては、操作ハンドル５が後方に伸びるように設けられていることを基本的な構成として、必要に応じて耕耘ロータ３の後方に抵抗棒４を具える。
【００１４】
まず本発明の特徴構成について説明するに先立ち、前記各構成要素に関し、更に説明する。なお説明にあたって前後とは、作業者が小型圃園管理機Ｔを操作して進行する行く方向を前方とし、その反対側を後方とする。
【００１５】
まず駆動ユニットＤを構成する駆動原動機１について説明する。このものは、一般的には小型の内燃機関を用いるものであり、４ストローク、２ストロークのエンジンが多く用いられる。燃料としては、多くはガソリンが用いられるがガス等を燃料としてもよい。このような内燃機関の場合、駆動ユニットＤの近傍に燃料タンク１１を搭載する。
また駆動原動機１としては、必ずも内燃機関に限られず、電動モータ等も適用できる。
電動モータの場合、この駆動エネルギーソースとしては、一般にはバッテリーが適するが、作業条件が良ければ電源コードを引いて商業電源や圃場近傍に設置した発電機から給電をする手法がとり得る。
【００１６】
このような駆動原動機１から回転出力が取り出され、これがミッション機構２にまず伝達される。この駆動原動機１とミッション機構２とは外殻部材たるケーシングを共通化していわゆるユニットタイプとしても良いし、別体のものを一次伝達手段を介して接続するようないわゆる別体タイプとしてもよい。なお別体タイプとする場合多くは、駆動原動機１とミッション機構２との両者や耕耘ロータ３を保持するためのフレームＦを具える。一方駆動原動機１とミッション機構２とが一体のユニットタイプの場合、その外殻部材たるケーシングにハンドルを取り付けるための部位等を予め形成しておけば、限りなくいわゆるフレームレス状に小型圃園管理機Ｔを構成し得るが、もとより後述の実施例のようにフレームＦを具える構成も採り得る。
なおミッション機構２は、多くの場合、駆動原動機１の回転を減速し、且つ必ず水平配置される耕耘ロータ３の回転軸３１への回転伝達方向を変換する作用を行うギヤ機構、例えばウォームギヤ機構等を内蔵している。
【００１７】
次に耕耘ロータ３について説明する。この耕耘ロータ３は、ミッション機構２から水平幅方向に伸びる回転軸３１と、この回転軸３１に設けられたロータブレード３２とから成る。なお実際には回転軸３１に直接ロータブレード３２が取り付けられる場合は少なく、複数のロータブレード３２が中心でスリーブ状のボスによって固定され、このボスが回転軸３１に外嵌め固定されることが多い。また耕耘ロータ３の上方には、作業の安全確保と、耕土Ｓの泥はね防止等に資するロータガード３３をフレームＦ等を利用して設ける。
そして、これら駆動原動機１とミッション機構２とを具えた駆動ユニットＤと、耕耘ロータ３との全体を本体ユニットＢとするものである。
【００１８】
次に本発明の特徴的構成である操作ハンドル５について説明する。操作ハンドル５は、本体ユニットＢに対しては固定取付されず、駆動ユニットＤの前方寄りの部位設けられたハンドルピボット５１において本体ユニットＢに対し回動自在に設けられる。そして操作ハンドル５は、前記ハンドルピボット５１と後方の操作端５２との間に弾発ユニット６を具えている。
まず操作ハンドル５について詳述すると、形状としては、一例として２本のいわゆる角型ハンドル乃至は、バーハンドルを云われる形状であり、本体ユニットＢの後方上向きに伸びる形状を採る。もちろん左右のハンドル部材は、自由端側、即ち操作端５２側でつながったループ形状であってもよい。
この操作端５２には、作業感を良好にするためのグリップラバー５２Ｇを外嵌めするほか、動力伝達等種々の操作を行う操作レバー５２Ｌ等を常法に従って設ける。
なお図１、２に示す実施例では、ハンドルピボット５１が本体ユニットＢのフレームＦ前方に設定されていることに因み、側面視では駆動ユニットＤと干渉を避けた形で斜め前方に伸びた後、その上端を後方やや斜め上方に向かわせた、いわば横Ｌ字状ないしは“つ”の字状とでも言うべき形状を採る。
しかしながら、他の構成部材との干渉が回避できれば、このような形状に限定されるものではない。
【００１９】
このような操作ハンドル５は、ハンドルピボット５１と操作端５２との間の位置において、本体ユニットＢとの間に弾発ユニット６を具えるものであって、以下この弾発ユニット６について説明する。
弾発ユニット６の基本的な実施例としては、図１、２、３、４（ａ）に示すような圧縮スプリングユニット６１のタイプが挙げられる。このものは、図４（ａ）に示すように例えばシリンダ中にスライド自在のロッドを組み込んだスライドガイド６１Ａに対し、その上端にアッパブラケット６１Ｂを設け、一方の下端にはアンダーブラケット６１Ｃを儲け、その間にスプリング本体６１Ｄを圧縮配置したものである。そして前記アッパブラケット６１Ｂを操作ハンドル５における受けブラケット５３にピン接続させ、一方アンダーブラケット６１Ｃを本体ユニットＢの一部であるフレームＦにおける本体受けブラケットＦｂにピン接続させる。
【００２０】
本発明は以上述べた実施例を基本的形態とするものであり、以下その作動状態について説明する。
基本的な耕耘作業自体は、一般的な手法を採る。即ち適宜駆動原動機１を作動させ、クラッチ操作等により、その回転を耕耘ロータ３に伝達する。このとき作業者Ｍは、操作ハンドル５の操作端５２を握りながら、小型圃園管理機Ｔの機体全体を圃園の耕土Ｓに押し付け加減に保持する。このとき耕土Ｓが固く締まっているときは、従来型では耕耘ロータ３は、耕土Ｓに喰い込まずに跳ね上げられるようになり、且つ車輪状の作用をして単なる前進を行うだけである。しかしながら本発明では、固い耕土Ｓにより耕耘ロータ３が跳ね上げられる傾向はでるものの、作業者Ｍが前進をせずにその位置にとどまっていると耕耘ロータ３の前記跳ね上げを受けた動きが、耕耘を促す作用となる。
【００２１】
即ち耕耘ロータ３が跳ね上げられることは、操作ハンドル５との間に介在している弾発ユニット６が瞬間的に圧縮される動きとなるが、その直後弾発ユニット６は反動で伸長する動きとなる。この動きは、作業者Ｍが操作ハンドル５を幾分か下方に押し込んでいる力と相まって、瞬間的に耕耘ロータ３に伝えられる。これにより、耕土Ｓと接触しているロータブレード３２は瞬間的に力を集中させた状態で耕土Ｓ中に入り込む。このような動きを続けることにより、固く締まった耕土Ｓに対しても順次ロータブレード３２が喰い込むようになる。
因みにこのような作用をより効果的に行わせるには、弾発ユニット６の下方への押し付け作用位置、即ち実質的には弾発ユニット６たる圧縮スプリングユニット６１のアンダーブラケット６１Ｃの接続位置を、耕耘ロータ３の作動範囲内、更には回転軸３１の上方とすることが好ましい。加えて、下方への耕耘ロータ３の押し付けを考慮すると、重量部材である駆動ユニットＤの重心位置は、耕耘ロータ３の中心位置よりも前方であることが好ましい。
【００２２】
〔他の実施の形態〕
本発明は以上述べた実施の形態を一つの基本的な技術思想とするものであるが、更に次のような改変が考えられる。
＜全体形状の実施例＞
本発明の小型圃園管理機Ｔは本体ユニットＢの形状やサイズの如何で種々の形態が採り得る。例えば更に小型化を図った図３に示すものは、ハンドルピボット５１を本体ユニットＢの前方上方に立ち上げたサブフレーム状のフレームＦの上端に設け、一方弾発ユニット６を駆動ユニットＤにおける駆動原動機１の上方に設けている。なおこの位置は耕耘ロータ３の回転軸３１のほぼ直上部である。
【００２３】
＜弾発ユニット６の実施例＞
弾発ユニット６は、操作ハンドル５と本体ユニットＢとの間にあって、耕耘ロータ３をいわば付勢する作用を行っており、この目的が達成できる範囲で種々の形態が適用できる。
（ｉ）ゴム併用ユニット６２
前記圧縮スプリングユニット６１に代えて図４（ｃ）に示すようにコアスプリング６２Ａをモールドゴム６２Ｂでモールドしたような、いわゆるエリゴ式と称される弾発ユニット６を適用することができる。このものは図に示すように取り付けのため、アッパーボルト６２Ｃ、ロアボルト６２Ｄを具える。
【００２４】
（ii）リンク式ユニット６３
弾発ユニット６の構成要素として中折れ型リンク機構を含むものも適用できる。即ち、このタイプは、操作ハンドル５側に接続されるアッパーリンク６３１と本体ユニットＢ側に接続されるロアリンク６３２との組み合わせであり、両者は接続ピボット６３３において回動自在に接続されている。そして操作ハンドル５側とアッパーリンク６３１とは、アッパーピボット６３１Ｐでピン接続され、また本体ユニットＢとロアリンク６３２とはロアピボット６３２Ｐでピン接合されている。
そしてこのようなリンク式ユニット６３に対しての弾性付与の一例としては、図５（ａ）に示すように水平配置した引張スプリング６４によるほか、図５（ｂ）に示すように圧縮スプリング６５を適用することができる。
【００２５】
更にまたリンク式ユニット６３に対して他の弾性付与の形態としては、変形弾発ゴム６６を適用することができる。即ち例えば接続ピボット６３３の部位において、変形弾発ゴム６６を作用させるものであって、いわゆるナイトハルト式の弾性構造である。具体的には、アッパーリンク６３１側に側面視正四角形状の空間を作るアウターケーシング６６１を設け、一方のロアリンク６３２側に前記アウターケーシング６６１内で回動し得る一例として側面視正四角形状のインナーボス６６２を設ける。そして両者が作る空間を圧縮室６６３として、ここに例えば側面視三角形の変形弾発ゴム６６を配置する。この構造では、アッパーリンク６３１とロアリンク６３２とが相互に回動すると変形弾発ゴム６６は、圧縮され、その反力は本体ユニットＢを下方に押し戻す動きとなる。なおこのような機構は必要に応じ接続ピボット６３３以外にアッパーピボット６３１Ｐやロアピボット６３２Ｐにおいても単独であるいは他の部位と共に複数箇所構成でき、結果的には弾発力の設定も行うことができる。
因みにこのような変形弾発ゴム６６のような弾性付与の形態までもが考慮し得る以上、それ以外の捻じりコイルスプリングや、エア弾発ユニットや更に他の弾性付与が可能な部材要素が適用し得ることは勿論である。
【００２６】
＜可変調整機構６４１＞
前記変形弾発ゴム６６のタイプでも触れたが、弾発ユニット６の弾発強さの調整も可能である。図７（ａ）に示す実施例は、基本的に圧縮スプリングユニット６１に適用したものであり、スプリング本体６１Ｄを受けるスライドガイド６１Ａの下方に受け高さを調整自在の受け座６１Ｅを設ける。これにより、スプリング本体６１Ｄのイニシャル荷重が調整され、弾発強さの設定が可能となる。
更にまた図７（ｂ）に示す実施例は、圧縮スプリングユニット６１自体の設置角度を変更できるよう、操作ハンドル５における受けブラケット５３に、取付位置を選択自在とした湾曲長孔状の調整孔５３Ａを形成する。そして圧縮スプリングユニット６１のアッパブラケット６１Ｂの固定位置を変更すれば、圧縮スプリングユニット６１の設定角度が変わり、直立時には弾発力が最も強く、傾斜配置されると弱くなるように選択設定できる。
なお更にスプリング本体６１Ｄの線径や巻き径を変更するなどして、弾発特性としてプログレッシブ効果を発揮させる等の種々の対応が採り得る。
因みに弾発ユニット６側において弾発強さの調整ができる技術思想が考慮できる以上、操作ハンドル５におけるハンドルピボット５１の位置を前後あるいは上下にいくつか位置選択ができるようにし、同様の目的を達成するようにした技術思想も本発明の技術思想の中に含まれるものである。
【符号の説明】
【００２７】
Ｔ        小型圃園管理機
Ｓ        耕土
Ｍ        作業者
Ｄ        駆動ユニット
Ｂ        本体ユニット
Ｆ        フレーム
Ｆｂ      本体受けブラケット
１        駆動原動機
２        ミッション機構
３        耕耘ロータ
４        抵抗棒
５        操作ハンドル
６        弾発ユニット
１        駆動原動機
１１      燃料タンク
２        ミッション機構
３        耕耘ロータ
３１      回転軸
３２      ロータブレード
３３      ロータガード
４        抵抗棒
５        操作ハンドル
５１      ハンドルピボット
５２      操作端
５２Ｇ    グリップラバー
５２Ｌ    操作レバー
５３      受けブラケット
５３Ａ    調整孔
６        弾発ユニット
６１      圧縮スプリングユニット
６１Ａ    スライドガイド
６１Ｂ    アッパブラケット
６１Ｃ    アンダーブラケット
６１Ｄ    スプリング本体
６１Ｅ    受け座
６２      ゴム併用ユニット
６２Ａ    コアスプリング
６２Ｂ    モールドゴム
６２Ｃ    アッパーボルト
６２Ｄ    ロアボルト
６３      リンク式ユニット
６３１    アッパーリンク
６３１Ｐ  アッパーピボット
６３２    ロアリンク
６３２Ｐ  ロアピボット
６３３    接続ピボット
６４      引張スプリング
６５      圧縮スプリング
６６      変形弾発ゴム
６６１    アウターケーシング
６６２    インナーボス
６６３    圧縮室
６４１    可変調整機構
【図１】
2017221128.tif 000003
【図２】
2017221128.tif 000004
【図３】
2017221128.tif 000005
【図４】
2017221128.tif 000006
【図５】
2017221128.tif 000007
【図６】
2017221128.tif 000008
【図７】
2017221128.tif 000009